(57)【要約】着用者の顔幅が変化しても何ら調整をし直す必要がなく、的確なフィット感が維持される眼鏡を提供すること。智３に回動自在に取り付けられたテンプル４を備えた眼鏡Ａであって、該テンプル４は、少なくとも規制アーム杆８と、その外側に取り付けられた前テンプル杆７ａと、後テンプル杆７ｂとよりなり、該規制アーム杆８はその後端部が前テンプル杆７ａと後テンプル杆７ｂとの境部７ｄに取り付けられており、該テンプル４を、その開き角度が一定角度より大きくなるように拡開すると、それに伴って該規制アーム杆８が該境部７ｄを該規制アーム杆８に沿う方向に引くことにより該後テンプル杆７ｂが内方に傾斜する眼鏡。
2004003634.tif 000002
【特許請求の範囲】
【請求項１】
智に回動自在に取り付けられたテンプルを備えた眼鏡であって、該テンプルを、その開き角度が一定角度より大きくなるように拡開すると、それに伴って該テンプルの後端部が内方に傾斜することを特徴とする眼鏡。
【請求項２】
智に回動自在に取り付けられたテンプルを備えた眼鏡であって、該テンプルは、少なくとも規制アーム杆と、その外側に取り付けられた前テンプル杆と、後テンプル杆とよりなり、該規制アーム杆はその後端部が前テンプル杆と後テンプル杆との境部に取り付けられており、該テンプルを、その開き角度が一定角度より大きくなるように拡開すると、それに伴って該規制アーム杆が該境部を該規制アーム杆に沿う方向に引くことにより該後テンプル杆が内方に傾斜することを特徴とする眼鏡。
【請求項３】
智に回動自在に取り付けられたテンプルを備えた眼鏡であって、該テンプルは、智に回動自在に取り付けられた規制アーム杆と、前端部が智に押し付けられることで摺動可能となるように規制アーム杆の外側に取り付けられた前テンプル杆と、該前テンプル杆に前端部にて揺動可能に取り付けられた後テンプル杆とよりなり、該規制アーム杆はその後端部が後テンプル杆の前端部に係止されており、該テンプルを、その開き角度が一定角度より大きくなるように拡開すると、それに伴って該規制アーム杆が該後テンプル杆の前端部を該規制アーム杆に沿う方向に引くことにより該後テンプル杆が内方に傾斜することを特徴とする眼鏡。
【請求項４】
前記後テンプル杆は、その前端部がフック状部分として形成されていることを特徴とする請求項３記載の眼鏡。
【請求項５】
前記後テンプル杆は、その前端部に穴が形成され、規制アーム杆はその後端部に穴が形成され、この２つの穴がネジ止めされて係止されていることを特徴とする請求項３記載の眼鏡。
【請求項６】
前記テンプルは、智とともにバネ丁番を形成することを特徴とする請求項３記載の眼鏡。
【請求項７】
前記前テンプル杆は、規制アーム杆を覆っていることを特徴とする請求項３記載の眼鏡。
【請求項８】
前記前テンプル杆は、長穴が形成されており、ビスを該前テンプル杆の外側から該長穴を通して規制アーム杆に固定することにより、前テンプル杆と規制アーム杆とが摺動可能に取り付けられていることを特徴とする請求項３記載の眼鏡。
【請求項９】
前記規制アーム杆は、その後端部に外向きに形成された係受凹部に前記後テンプル杆の前端部に内向きに形成された係止凸部が係止することにより、その後端部が該後テンプル杆の前端部に係止されていることを特徴とする請求項３記載の眼鏡。
【請求項１０】
前記規制アーム杆と後テンプル杆の係止位置の内側にバネ体が取り付けられていることを特徴とする請求項９記載の眼鏡。
【発明の詳細な説明】
【技術分野】（発明の属する技術分野）
発明は、眼鏡に関し、更に詳しくは、テンプルの拡開に伴ってその後端部が内方に傾斜する眼鏡に関する。
【背景技術】（従来技術）
眼鏡は、着用者の頭部に的確にフィットするものであることが必要である。
つまり、眼鏡のテンプルやモダンで頭部を強く挟み付けて苦痛を与えるようなものであってはならない。
逆に、挟み付けが緩く、眼鏡のフロントが鼻梁に沿ってずり下がるようでは使いづらく、着用者の眼を疲労させ、或いは視力に悪影響を及ぼす場合もある。
そのため、眼鏡は、頭部に的確にフィットするように、通常、テンプルやモダンの曲がり具合を変えるなどして、個々の着用者の頭部の形状に合うように調整されて使用される。
しかし、太って顔幅が広くなるなどして着用者の顔幅が変化した場合、眼鏡を調整し直さないと頭部にフィットしなくなってしまう。
第１４図は、眼鏡の装着状態を上から見た場合の模式図であり、（Ａ）は頭部にフィットした場合、（Ｂ）は顔幅が広がった場合を示す。
図に示すように、たとえ当初、眼鏡Ｂのテンプル１００等を着用者の頭部Ｈに的確にフィットするように調整しても〔第１４図（Ａ）参照〕、その顔幅が広がると〔第１４図（Ｂ）参照〕、テンプル１００が押し広げられる状態になる。
そのため、特にモダン１０１を含むテンプル１００の後端部が頭部Ｈから離れてしまい、フィット感が失われてしまう。
頭部にフィットしなくなった眼鏡は、再び調整が必要になる。
フィッティング技術には熟練を要する。
勝手に着用者が調整を行うと、テンプルがこめかみを圧迫して血流を悪くさせたりモダンが耳の付け根に擦れて痛みを与えたりして、不快感を与える。
眼鏡に特殊な部材を取り付けて、顔幅に合わせて眼鏡の幅を調整し、テンプルの曲がり具合を変えることが可能な眼鏡が提案されている（特許文献１参照）。
この眼鏡の智（ヨロイ）は、ニッケル・チタン合金等の超弾性材料よりなり、もともと直線状に形成される。
この直線状の智を、チタン等のより剛性の高い材料よりなる略９０度に折れ曲がったパイプ状の全幅調整部材に挿入することで後方に曲げて、通常の智の形状に形成するのである。
こうした眼鏡は、パイプ状の全幅調整部材の位置をずらして左右の智が後方へ折り曲がる位置を移動させたり、パイプ状の全幅調整部材の折り曲げ角度を変えることにより、使用者の顔幅に合うように調整できるとされる。
また、上記の眼鏡では、同様に、直線状に形成された超弾性のテンプルを、へ字状に折曲されたパイプ状の部材に挿入することで、テンプルを内側に曲げることも提案されている。
そして、テンプルを内側に曲げる位置や角度を変えることにより、眼鏡のフィット性を確保し、顔幅の変化の際の調整も容易、確実に行うことができるとされる。
しかし、特に、略９０度に折れ曲がったパイプ状の部材に金属部材を挿入した状態でその位置を微妙に調整する作業は、いわゆる素人である着用者にとっては、非常に困難を伴うものとなる。
しかも、眼鏡を着用すると、通常、智の部分には相当に強い力が加わる。
そのため、略９０度に折れ曲がったパイプ状部材は、肉薄であれば壊れ易くなり、肉厚であれば角度の調整がしにくくなるという問題点がある。
以上のようなことから、顔幅が変化しても、煩わしい調整の必要がなく、しかも最初に調整して得られたフィット感が失われず、的確なフィット感が維持される眼鏡の開発が強く望まれている。
【特許文献１】      特開２００１−１６６２６３号公報
【発明の開示】
【発明が解決しようとする課題】本発明は、かかる実状を背景に、上記の問題点を克服するためになされたものである。
すなわち、本発明の目的は、顔幅が変化しても何ら調整をし直す必要がなく、的確なフィット感が維持される眼鏡を提供することである。
【課題を解決するための手段】かくして、本発明者は、このような課題背景に対して、鋭意研究を重ねた結果、テンプルの内側に規制アーム杆を設けることによりテンプルの拡開に伴ってその後端部が内方に傾斜するようにすることができること、及びその内方傾斜により使用者の顔幅が広がってもテンプル後端部がその頭部を的確に捉えた状態を保持することが可能であることを見出し、この知見に基づいて本発明を完成させたものである。
即ち、本発明は、（１）、智に回動自在に取り付けられたテンプルを備えた眼鏡であって、該テンプルを、その開き角度が一定角度より大きくなるように拡開すると、それに伴って該テンプルの後端部が内方に傾斜する眼鏡に存する。
そして、（２）、智に回動自在に取り付けられたテンプルを備えた眼鏡であって、該テンプルは、少なくとも規制アーム杆と、その外側に取り付けられた前テンプル杆と、後テンプル杆とよりなり、該規制アーム杆はその後端部が前テンプル杆と後テンプル杆との境部に取り付けられており、該テンプルを、その開き角度が一定角度より大きくなるように拡開すると、それに伴って該規制アーム杆が該境部を該規制アーム杆に沿う方向に引くことにより該後テンプル杆が内方に傾斜する眼鏡に存する。
そしてまた、（３）、智に回動自在に取り付けられたテンプルを備えた眼鏡であって、該テンプルは、智に回動自在に取り付けられた規制アーム杆と、前端部が智に押し付けられることで摺動可能となるように規制アーム杆の外側に取り付けられた前テンプル杆と、該前テンプル杆に前端部にて揺動可能に取り付けられた後テンプル杆とよりなり、該規制アーム杆はその後端部が後テンプル杆の前端部に係止されており、該テンプルを、その開き角度が一定角度より大きくなるように拡開すると、それに伴って該規制アーム杆が該後テンプル杆の前端部を該規制アーム杆に沿う方向に引くことにより該後テンプル杆が内方に傾斜する眼鏡に存する。
そしてまた、（４）、前記後テンプル杆は、その前端部がフック状部分として形成されている眼鏡に存する。
そしてまた、（５）、前記後テンプル杆は、その前端部に穴が形成され、規制アーム杆はその後端部に穴が形成され、この２つの穴がネジ止めされて係止されている眼鏡に存する。
そしてまた、（６）、前記テンプルは、智とともにバネ丁番を形成する眼鏡に存する。
そしてまた、（７）、前記前テンプル杆は、規制アーム杆を覆っている眼鏡に存する。
そしてまた、（８）、前記前テンプル杆は、長穴が形成されており、ビスを該前テンプル杆の外側から該長穴を通して規制アーム杆に固定することにより、前テンプル杆と規制アーム杆とが摺動可能に取り付けられている眼鏡に存する。
そしてまた、（９）、前記規制アーム杆は、その後端部に外向きに形成された係受凹部に前記後テンプル杆の前端部に内向きに形成された係止凸部が係止することにより、その後端部が該後テンプル杆の前端部に係止されている眼鏡に存する。
そしてまた、（１０）、前記規制アーム杆と後テンプル杆の係止位置の内側にバネ体が取り付けられている眼鏡に存する。
本発明はこの目的に沿ったものであれば、上記１〜１０の中から選ばれた２つ以上を組み合わせた構成も当然採用可能である。
【発明の効果】  本発明によれば、テンプルの拡開に伴って、自動的にテンプル後端部が内方に傾斜させることが可能となる。
そのため、眼鏡の使用者の顔幅が変化しても、何ら眼鏡を調整し直す必要がなく、使用開始当初に調整して得られた的確なフィット感が維持されるのである。
【図面の簡単な説明】  第１図は、本実施形態の眼鏡の平面図である。
第２図は、本実施形態のテンプルの構造を示す図であり、（Ａ）は前テンプル杆及び後テンプル杆、及び規制アーム杆を分解した状態、（Ｂ）は取り付けた状態を示す。
第３図は、上記バネ丁番の一例を説明する図であり、（Ａ）は連結させる前の前テンプル杆と規制アーム杆を示す斜視図であり、（Ｂ）は連結した後のバネ丁番の内部構造を示す断面図である。
第４図は、テンプルの開き角度を説明する図である。
第５図は、このテンプル後端部の内方傾斜の原理を説明する図である。
第６図は、規制アーム杆に対する前テンプル杆の摺動を示す図であり、（Ａ）は摺動前、（Ｂ）は摺動した状態を示す。
第７図は、本発明の眼鏡の装着状態を上から見た場合の模式図であり、（Ａ）は頭部にフィットした場合、（Ｂ）は顔幅が広がった場合を示す。
第８図（Ａ）は、規制アーム杆の係止の構成例を示す図であり、第８図（Ｂ）は、前テンプル杆が規制アーム杆を覆う構成例を示す図である。
第９図は、開き角度θが略４５度のときに内方傾斜が始まるようにした眼鏡の構成例の丁番付近の拡大図であり、（Ａ）はθが略４５度、（Ｂ）はθが略９０度の場合を示す。
第１０図は、本発明の眼鏡の第１変形例を示す図であり、（Ａ）は平面図、（Ｂ）は右側面の丁番付近の拡大図である。
第１１図は、第１０図の変形例におけるテンプル後端部の内方傾斜を説明する図である。
第１２図は、本発明の眼鏡の第２変形例のテンプル付近を示す図であり、（Ａ）は平面図、（Ｂ）は一部断面図である。
第１３図は、第１２図の第２変形例におけるテンプル後端部の内方傾斜を説明する一部断面図である。
第１４図は、従来の眼鏡の装着状態を上から見た場合の模式図であり、（Ａ）は頭部にフィットした場合、（Ｂ）は顔幅が広がった場合を示す。
【発明を実施するための最良の形態】（発明の実施の形態）
以下、図面に基づいて、本発明の眼鏡の好適な実施の形態について述べる。
第１図は、本実施形態の眼鏡の平面図である（説明の便宜上、図中右側のテンプルはモダン９を取り外した状態を示した）。
眼鏡Ａは、リム１、ブリッジ２、智３、テンプル４、及びレンズ５等を備える。
テンプル４は、ネジ６により智３に回動自在に取り付けられている。
本発明においては、テンプル４は、少なくとも前テンプル杆７ａと、後テンプル杆７ｂと、規制アーム杆８とよりなり、前テンプル杆７ａは規制アーム杆８の外側に取り付けられている。
規制アーム杆８の後端部は、前テンプル杆７ａと後テンプル杆７ｂとの境部に取り付けられている。
第２図は、本実施形態のテンプルの構造を示す図であり、（Ａ）は前テンプル杆及び後テンプル杆、及び規制アーム杆を分解した状態、（Ｂ）は取り付けた状態を示す。
本実施形態では、第２図（Ａ）に示すように、前テンプル杆７ａと後テンプル杆７ｂとは、後テンプル杆７ｂがその前端部にて前テンプル杆７ａに対して揺動可能〔第２図（Ａ）上部の矢印参照〕になるようにネジ７ｃで取り付けられている。
具体的には、後テンプル杆７ｂは、その前端部にフック状に湾曲したフック状部分７ｄが設けられ、その先端にはネジ７ｃが貫通するための穴（図示しない）が形成されている。
また、前テンプル杆７ａの後端部内側には凹部（図示しない）が形成されている。
そして、後テンプル杆７ｂの先端をこの凹部に挿入し、ネジ７ｃによりねじ止めすることにより、前テンプル杆７ａと後テンプル杆７ｂとが取り付けられる。
この際、前テンプル杆７ａに対して、ネジ７ｃを中心として後テンプル杆７ｂがある程度の角度幅をもって揺動可能に取り付けられる。
規制アーム杆８は、第２図（Ａ）の拡大円内に示すように、その後端部に穴８ａが形成されており、この穴８ａに後テンプル杆７ｂを挿通することにより、後テンプル杆７ｂの前端部であるフック状部分７ｄに係止される。
このようにして、規制アーム杆８は、その後端部が前テンプル杆７ａと後テンプル杆７ｂとの境部（この場合はフック状部分７ｄ）に係止され取り付けられるのである〔第２図（Ｂ）参照〕。
規制アーム杆８と前テンプル杆７ａとは、それらの前端部においても連結されている。
即ち、両者の前端部同士が、互いに対して長手方向に摺動可能に取り付けられている〔第２図（Ｂ）下部の矢印参照〕。
更に、この前端部の摺動部には、圧縮弾性を有するコイルバネが内蔵されており、このテンプル４が智３に取り付けられると、いわゆるバネ丁番を形成する。
第３図は、上記バネ丁番の一例を説明する図であり、（Ａ）は連結させる前の前テンプル杆と規制アーム杆を示す斜視図であり、（Ｂ）は連結した後のバネ丁番の内部構造を示す断面図である。
第３図（Ａ）に示すように、前テンプル杆７ａには開口部を狭幅に形成された嵌合凹部７ｅが、また規制アーム杆８には、開口部の周囲に鍔状部分が形成され中央に凹部１０を有する嵌合凸部８ｃが形成されている。
規制アーム杆８と前テンプル杆７ａは、規制アーム杆８の嵌合凸部８ｃを前テンプル杆７ａの嵌合凹部７ｅの前端から挿入することにより、摺動可能に取り付けられる。
この取り付けの際、同時に、規制アーム杆８の嵌合凸部８ｃに形成された凹部１０に、回動規制棒１１が内挿されたコイルバネ１２とロッキングデバイス１３とが埋め込まれる〔第３図（Ｂ）参照〕。
この取り付けによって、ロッキングデバイス１３は、その一部が前テンプル杆７ａの嵌合凹部７ｅに形成された係合溝７ｆに係合して固定され、回動規制棒１１のヘッド部１１ａを介してコイルバネ１２を押圧した状態で保持する。
こうした構造に形成すると、コイルバネ１２の反発力により、前テンプル杆７ａは、通常の状態では、規制アーム杆８に対して前端部方向に摺動しきった状態に保持される。
また、規制アーム杆８が智３に取り付けられ、後述する第６図（Ｂ）に示すようにテンプル４に外力が加わっていわゆるオーバー回動した状態では、コイルバネ１２が更に押し縮められ、外力が加わらなくなると第６図（Ａ）の状態に自然に戻る、いわゆるバネ丁番を形成するのである。
以上のように、前テンプル杆７ａ、後テンプル杆７ｂ及び規制アーム杆８等が組み立てられてテンプル４（第１図参照）が形成される。
一方、規制アーム杆８の前端部には、コマ部８ｂが設けられている〔第２図（Ａ）及び第２図（Ｂ）参照〕。
本実施形態においては、規制アーム杆８がこのコマ部８ｂを介して智３に回動自在に取り付けられることにより、結果的に、テンプル４全体が智３に回動自在に取り付けられ、上記のようにバネ丁番を形成するのである。
さて、本発明の眼鏡は、テンプル４を、その開き角度が一定角度より大きくなるように拡開すると（即ちいわゆるオーバー回動すると）、それに伴ってテンプル４の後端部が内方に傾斜することを特徴とする。
ここで、テンプル４の開き角度（θ）について簡単に述べる。
第４図は、テンプルの開き角度を説明する図である。
この図に示すように、テンプル４の開き角度θとは、完全に折り畳まれた状態Ｐにあるテンプル４と拡開した状態Ｑにあるテンプル４のなす角度をいう。
つまり、例えばθが０度という場合は、テンプル４が完全に折り畳まれた状態、即ち、Ｐの状態にある場合をさす。
次に、テンプル４の後端部が内方に傾斜する原理について説明する。
本実施形態においては、テンプル４が開き角度θが０度の状態から拡開していき、θが略９０度の状態（第１図参照）に拡開したとき初めて前テンプル杆７ａの前端部が智３に当接する。
この状態では、まだテンプル４の後端部の内方傾斜は生じていない。
眼鏡の着用者がこの眼鏡Ａを掛けた場合のように、テンプル４の開き角度θを一定角度（この場合は略９０度）より大きく拡開するような力が加わると、テンプル後端部の内方傾斜が生じる。
第５図は、このテンプル後端部の内方傾斜の原理を説明する図である。
テンプル４に外向きの力Ｓが加わると、智３に当接していた前テンプル杆７ａは、その先端が智３に強く押し付けられ、智３から後向きの力Ｔを受ける。
この力Ｔにより、前テンプル杆７ａは、規制アーム杆８に対して後ろ向き（矢印Ｕ方向）に摺動する〔第５図を拡大した第６図（Ｂ）参照。尚、第６図（Ａ）は第１図の状態の拡大図である〕。
これを前テンプル杆７ａの側から見れば、前テンプル杆７ａに対して規制アーム杆８が前方に移動することになる（第５図参照）。
そのため、規制アーム杆８により後テンプル杆７ｂのフック状部分７ｄが前方（矢印Ｖ方向）に引かれ、それにより、ネジ７ｃを中心として後テンプル杆７ｂが矢印Ｗ方向に回動する。
このように、本発明の眼鏡Ａは、テンプル４を、その開き角度が一定角度（この場合は略９０度）より大きくなるように拡開すると、それに伴って規制アーム杆８が後テンプル杆７ｂの前端部であるフック状部分７ｄを該規制アーム杆８に沿う方向（矢印Ｖ方向）に引くことによりテンプル４の後端部、即ち後テンプル杆７ｂが内方に傾斜するのである。
そのため、従来の眼鏡（第１４図参照）とは異なり、例えば使用者の顔幅が広くなった場合でも、新たにフィッティングを施すことなく、その頭部に的確にフィットすることができるのである。
第７図は、本発明の眼鏡の装着状態を上から見た場合の模式図であり、（Ａ）は頭部にフィットした場合、（Ｂ）は顔幅が広がった場合を示す。
このように、本発明の眼鏡Ａは、例えば、使用者の顔幅が広がっても、自動的にテンプル４の後端部、即ち後テンプル杆７ｂが内方に傾斜する。
そのため、本発明の眼鏡は、使用者の顔幅が変化しても、何ら調整をし直す必要がなく、最初に調整して得られたフィット感が失われず、そのまま的確に維持される。
因みに、先述したように、本実施形態の眼鏡のテンプル４は、いわゆるバネ丁番を形成している。
従って、テンプルの開き角度が一定角度（この場合は略９０度）より大きくなるように拡開すると、内方へ戻ろうとする付勢力を発揮する。
このため、第７図（Ａ）及び第７図（Ｂ）に示した装着状態において、このバネ丁番による内方への付勢力により、眼鏡が使用者の頭部Ｈをより的確に捉えることが可能となる。
さて、上記構成例では、後テンプル杆７ｂの前端部にフック状部分を形成し、それを規制アーム杆８の後端部に設けた穴８ａに挿通することにより規制アーム杆８を後テンプル杆７ｂの前端部に係止した〔第２図（Ａ）及び第２図（Ｂ）参照〕。
しかし、他の方法により係止することも可能である。
第８図（Ａ）は、その一例を示す図である。
この構成例は、上記構成例（第１図等参照）と比較して、前テンプル杆７ａ、後テンプル杆７ｂ、及び規制アーム杆８の取り付け部位（ネジ７ｃ付近）の構造のみを異にする。
また第８図（Ａ）の拡大円内に示すように、前テンプル杆７ａには穴７ｇが、また後テンプル杆７ｂのＬ字状の前端部には間隔を置いて２つの穴、即ち穴７ｈ及び穴７ｉがそれぞれ設けられ、穴７ｈと穴７ｇとがネジ７ｃにより揺動可能になるように取り付けられる。
また、規制アーム杆８の後端部には穴８ｄが設けられ、この穴８ｄと前記後テンプル杆７ｂの穴７ｉとが回動自在にネジ止めされて係止されている。
先述した構成例では規制アーム杆８が後テンプル杆７ｂのフック状部分７ｄを規制アーム杆に沿う方向に引いた（第５図参照）。
それに対し、第８図（Ａ）のように連結して形成されたテンプル４においては、規制アーム杆８が穴８ｄ及び穴７ｉを連結するネジを介して後テンプル杆７ｂの前端部、即ち穴７ｉの部分を規制アーム杆８に沿う方向に引くのである。
この規制アーム杆８に沿う方向に引く力により、この場合、間隔を置いた２つの穴（穴７ｈ、穴７ｉ）の間に力のモーメントが働く。
そのため、先述した構成例の場合と同様に、テンプル４に外向きの力が加わると後テンプル杆７ｂが内方に傾斜することは容易に理解されよう。
尚、デザイン性や毛髪の絡み付き防止等の観点から、第８図（Ａ）に示した眼鏡の前テンプル杆７ａを、規制アーム杆８の全部又は一部を覆うように形成することも可能である〔第８図（Ｂ）参照〕。
また、このように前テンプル杆７ａで規制アーム杆８を覆うように形成することは、第８図（Ａ）の眼鏡の場合に限らず、第１図や後述する第１０図（Ａ）等に示す構成例においても当然採用可能である。
因みに、図示しないが、モダン９をゴムモダン等にして前テンプル杆７ａ、後テンプル杆７ｂ及び規制アーム杆８の取り付け部位（ネジ７ｃの部分）を覆うようにすれば、テンプル４への毛髪の絡み付きをより的確に防止することができる。
また、規制アーム杆８を覆うように形成した前テンプル杆７ａ〔第８図（Ｂ）参照〕のネジ７ｃの部分を、ゴム等のモダン９で、更に上から覆うように形成することも当然可能である。
〔テンプル後端部の内方傾斜の開始角度が異なる眼鏡のバリエーション〕
上記の実施形態においては、テンプル４の開き角度θが略９０度を超えたときに、テンプル後端部の内方傾斜が生じる場合を説明した。
しかし、テンプル４の後端部の内方傾斜が始まる開き角度θは、略９０度の時点である場合に限定されず、必要に応じて、開き角度θがより小さい角度或いは９０度より大きい角度に開いた時点で内方傾斜を開始させることも可能である。
第９図は、開き角度θが略４５度のときに内方傾斜が始まるようにした眼鏡の構成例の丁番付近の拡大図であり、（Ａ）はθが略４５度、（Ｂ）はθが略９０度の場合を示す。
先述したように、テンプル４の後端部の内方傾斜は、前テンプル杆７ａが規制アーム杆８に対して摺動することにより生じる。
この構成例では、開き角度θが略４５度のとき、前テンプル杆７ａが規制アーム杆８に対して摺動を開始する〔第９図（Ａ）参照〕。
そして、開き角度θが略９０度になるまでテンプル４を拡開した状態では、前テンプル杆７ａは規制アーム杆８に対して相当程度摺動した状態になり〔第９図（Ｂ）参照〕、ここでは図示しないが、第５図に示したのと同様に、テンプル後端部も相当程度内方傾斜している。
このように、本発明によれば、例えば、智３や前テンプル杆７ａ等の構造を変えることで、テンプル後端部の内方傾斜が始まる開き角度を自在に変えることができるのである。
また、改めて説明しないが、同様に智３や前テンプル杆７ａ等の構造を変えることで、開き角度θが９０度より大きい角度に開いた時点でテンプル４の後端部の内方傾斜を開始させることも可能である。
〔テンプルの拡開に伴って後端部が内方傾斜する眼鏡のバリエーション〕
以下に示す眼鏡のバリエーションにおいては、煩雑さを避けるため繰り返して述べないが、テンプル４はその前端部において智３に回動自在に取り付けられていること、及び上記のようにテンプル４の後端部の内方傾斜が始まる際のテンプルの開き角度θを自在に変えることができることは言うまでもない。
〔第１変形例〕
次に、本発明の眼鏡のバリエーションについて述べる。
第１０図は、本発明の眼鏡の第１変形例を示す図であり、（Ａ）は平面図、（Ｂ）は右側面の丁番付近の拡大図である。
先述した眼鏡と同様、この変形例Ａ１においても、テンプル４は、前テンプル杆７ａと、後テンプル杆７ｂと、規制アーム杆８とよりなり、前テンプル杆７ａは規制アーム杆８の外側に取り付けられている。
この変形例Ａ１では、前テンプル杆７ａ及び後テンプル杆７ｂは熔接部７ｊの位置でスポット熔接されている。
後テンプル杆７ｂは、弾性を有する部材から形成され、その前端部にはフック状に湾曲したフック状部分７ｄが形成されている。
つまり、後テンプル杆７ｂは、その前端部にて前テンプル杆７ａに取り付けられ、その弾性により、第２図（Ｂ）の眼鏡Ａと同様に、前テンプル杆７ａに対して揺動可能となる。
規制アーム杆８は、その後端部に、第２図（Ａ）及びその拡大円内に示した穴８ａと同様の穴（図示しない）が形成されており、この穴に後テンプル杆７ｂを挿通することにより、後テンプル杆７ｂの前端部であるフック状部分７ｄに係止される〔第１０図（Ａ）参照〕。
これにより、規制アーム杆８は、その後端部が前テンプル杆と後テンプル杆との境部（この場合はフック状部分７ｄ）に係止され取り付けられるのである。
この変形例Ａ１においては、規制アーム杆８の前端部と前テンプル杆７ａの前端部とは、ビス７ｋを介して摺動可能に取り付けられる〔第１０図（Ｂ）参照〕。
つまり、前テンプル杆７ａの前端部には長穴７ｌが形成されており、ビス７ｋを前テンプル杆７ａの外側から長穴７ｌを通して規制アーム杆８に固定することにより、前テンプル杆７ａと規制アーム杆８とは長穴７ｌの分だけ摺動可能に取り付けられる。
一方、規制アーム杆８の前端部には、コマ部が設けられており、規制アーム杆８がこのコマ部を介してネジ６により智３に回動自在に取り付けられるのは、上記眼鏡Ａ（第１図参照）の場合と同様である。
さて、このようにテンプル４を形成すると、第１図の眼鏡Ａと同様に、テンプルの拡開に伴ってその後端部が内方傾斜する。
第１１図に示すように、テンプル４に外向きの力Ｓが加わると、智３に当接していた前テンプル杆７ａは、その先端が智３に強く押し付けられて智３から後向きの力Ｔを受け、前テンプル杆７ａが規制アーム杆８に対して矢印Ｕ方向に摺動する。
そのため、第５図の眼鏡Ａの場合と同様に、規制アーム杆８が後テンプル杆７ｂのフック状部分７ｄを前方（矢印Ｖ方向）に引く状態となり、それにより、熔接部７ｊを中心として後テンプル杆７ｂが矢印Ｗ方向に回動するのである。
このように、変形例Ａ１においても、テンプル４を、その開き角度が一定角度（この場合は略９０度）より大きくなるように拡開すると、それに伴って規制アーム杆８が後テンプル杆７ｂの前端部であるフック状部分７ｄを該規制アーム杆８に沿う方向（矢印Ｖ方向）に引くことによりテンプル４の後端部、即ち後テンプル杆７ｂが内方に傾斜するのである。
またこの際、先述したように、後テンプル杆７ｂが弾性を有するため、力Ｓが加わらなくなれば、後テンプル杆７ｂの弾性力により、テンプル４は第１０図に示した位置に戻る。
つまり、この場合も、テンプル４は、開き角度θが一定角度（第１０図の場合は略９０度）より大きくなると内方への付勢力を有するようになるのである。
即ち、この場合も、テンプル４は、智３とともにバネ丁番を形成している。
〔第２変形例〕
第１２図は、本発明の眼鏡の第２変形例のテンプル付近を示す図であり、（Ａ）は平面図、（Ｂ）は一部断面図である。
この変形例でも、先述した眼鏡と同様、テンプル４は、前テンプル杆７ａと、後テンプル杆７ｂと、規制アーム杆８とよりなり、前テンプル杆７ａは規制アーム杆８の外側に取り付けられている。
また、後テンプル杆７ｂは、その前端部にてネジ７ｃを介して前テンプル杆７ａに揺動可能に取り付けられている。
尚、第１２図及び後述する第１３図では、前テンプル杆７ａが規制アーム杆８を覆っている場合を示したが、前テンプル杆７ａが規制アーム杆８の外側に取り付けられた状態に形成することは当然可能である。
この第２変形例では、規制アーム杆８の後端部に外向きに係受凹部８ｅが形成され、また、後テンプル杆７ｂの前端部には内向きに係止凸部７ｍが形成されており、規制アーム杆８の係受凹部８ｅと後テンプル杆７ｂの係止凸部７ｍとが係止している点に特徴がある。
また、規制アーム杆８と前テンプル杆７ａの前端部にはコイルバネ１２が内蔵されており、このテンプル４もいわゆるバネ丁番を形成している。
さて、この変形例においても、テンプル４をオーバー回動するとそれに伴ってテンプル４の後端部が内方に傾斜するのは、上記の例と同様に説明することができる。
第１３図は、第１２図の第２変形例におけるテンプル後端部の内方傾斜を説明する一部断面図である。
つまり、テンプル４がオーバー回動した状態、即ちテンプル４に外向きの力Ｓが加わった状態では、智３に当接していた前テンプル杆７ａが智３に強く押し付けられて智３から後向きの力Ｔを受け、規制アーム杆８に対して後ろ向き（矢印Ｕ方向）に摺動する。
そして、相対的に規制アーム８が前テンプル杆７ａに対して前方に移動することになるため、後テンプル杆７ｂの係止凸部７ｍと嵌合していた規制アーム杆８の係受凹部８ｅが前方にずれる（矢印Ｖ参照）。
第１３図等に示すように、後テンプル杆７ｂの係止凸部７ｍの後側面は傾斜状に形成されているため、規制アーム杆８の係受凹部８ｅが前方にずれると、後テンプル杆７ｂの係止凸部７ｍが外側にずれる。
そのため、ネジ７ｃを中心として後テンプル杆７ｂの後端部が矢印Ｗ方向に回動するのである。
尚、このテンプル４では、第１３図のようにテンプル４がオーバー回動して、規制アーム杆８の係受凹部８ｅが後テンプル杆７ｂの係止凸部７ｍより前方にずれた状態で、外向きの力Ｓが解除されると、前テンプル杆７ａや規制アーム杆８は第１２図の状態にまで戻るのに、後テンプル７ｂの後端部は第１２図の状態にまで戻り切らなかったり、内方に傾斜した状態のままであったりする場合がある。
そうした場合には、第１２図等に示すように、規制アーム杆と後テンプル杆の係止位置の内側に、例えば板バネ状のバネ体１４を取り付ければ、バネ体１４の弾性力で第１２図の状態に復元することができ、好ましい。
以上、本発明を説明してきたが、本発明は実施形態や変形例にのみ限定されるものではなく、その本質を逸脱しない範囲で、他の種々の更なる変形例が可能であることは言うまでもない。
例えば、第３図のバネ丁番は智３に対してテンプル４が弾圧的に摺動可能になっているものである限り、その変形は自由である。
【産業上の利用可能性】  テンプルの拡開に伴ってその後端部が内方に傾斜する眼鏡に関するものであるがその原理を逸脱しない限り、矯正用眼鏡や医療用眼鏡、サングラス等の眼鏡全般の回動構造に適用可能であり、同様な効果も期待できるものである。
【図１】
2004003634.tif 000003
2004003634.tif 000004
2004003634.tif 000005
【図４】
2004003634.tif 000006
【図５】
2004003634.tif 000007
2004003634.tif 000008
2004003634.tif 000009
2004003634.tif 000010
2004003634.tif 000011
2004003634.tif 000012
【図１１】
2004003634.tif 000013
2004003634.tif 000014
【図１３】
2004003634.tif 000015
2004003634.tif 000016
【手続補正書】
【提出日】平成17年6月2日(2005.6.2)
【手続補正１】
【補正対象書類名】特許請求の範囲
【補正対象項目名】全文
【補正方法】変更
【補正の内容】
【特許請求の範囲】
【請求項１】
智に回動自在に取り付けられたテンプルを備えた眼鏡であって、該テンプルを、その開き角度が一定角度より大きくなるように拡開すると、それに伴って該テンプルの後端部が内方に傾斜することを特徴とする眼鏡。
【請求項２】
智に回動自在に取り付けられたテンプルを備えた眼鏡であって、該テンプルは、少なくとも規制アーム杆と、その外側に取り付けられた前テンプル杆と、後テンプル杆とよりなり、該規制アーム杆はその後端部が前テンプル杆と後テンプル杆との境部に取り付けられており、該テンプルを、その開き角度が一定角度より大きくなるように拡開すると、それに伴って該規制アーム杆が該境部を該規制アーム杆に沿う方向に引くことにより該後テンプル杆が内方に傾斜することを特徴とする眼鏡。
【請求項３】
智に回動自在に取り付けられたテンプルを備えた眼鏡であって、該テンプルは、智に回動自在に取り付けられた規制アーム杆と、前端部が智に押し付けられることで摺動可能となるように規制アーム杆の外側に取り付けられた前テンプル杆と、該前テンプル杆に前端部にて揺動可能に取り付けられた後テンプル杆とよりなり、該規制アーム杆はその後端部が後テンプル杆の前端部に係止されており、該テンプルを、その開き角度が一定角度より大きくなるように拡開すると、それに伴って該規制アーム杆が該後テンプル杆の前端部を該規制アーム杆に沿う方向に引くことにより該後テンプル杆が内方に傾斜することを特徴とする眼鏡。
【請求項４】
前記後テンプル杆は、その前端部がフック状部分として形成されていることを特徴とする請求項３記載の眼鏡。
【請求項５】
前記後テンプル杆は、その前端部に穴が形成され、規制アーム杆はその後端部に穴が形成され、この２つの穴がネジ止めされて係止されていることを特徴とする請求項３記載の眼鏡。
【請求項６】
前記テンプルは、智とともにバネ丁番を形成することを特徴とする請求項３記載の眼鏡。
【請求項７】
前記前テンプル杆は、規制アーム杆を覆っていることを特徴とする請求項３記載の眼鏡。
【請求項８】
前記前テンプル杆は、長穴が形成されており、ビスを該前テンプル杆の外側から該長穴を通して規制アーム杆に固定することにより、前テンプル杆と規制アーム杆とが摺動可能に取り付けられていることを特徴とする請求項３記載の眼鏡。
【請求項９】
前記規制アーム杆は、その後端部に外向きに形成された係受凹部に前記後テンプル杆の前端部に内向きに形成された係止凸部が係止することにより、その後端部が該後テンプル杆の前端部に係止されていることを特徴とする請求項３記載の眼鏡。
【請求項１０】
前記規制アーム杆と後テンプル杆の係止位置の内側にバネ体が取り付けられていることを特徴とする請求項９記載の眼鏡。
【手続補正２】
【補正対象書類名】明細書
【補正対象項目名】全文
【補正方法】変更
【補正の内容】
【発明の詳細な説明】
【技術分野】
【０００１】
本発明は、眼鏡に関し、更に詳しくは、テンプルの拡開に伴ってその後端部が内方に傾斜する眼鏡に関する。
【背景技術】
【０００２】
眼鏡は、着用者の頭部に的確にフィットするものであることが必要である。
つまり、眼鏡のテンプルやモダンで頭部を強く挟み付けて苦痛を与えるようなものであってはならない。
逆に、挟み付けが緩く、眼鏡のフロントが鼻梁に沿ってずり下がるようでは使いづらく、着用者の眼を疲労させ、或いは視力に悪影響を及ぼす場合もある。
【０００３】
そのため、眼鏡は、頭部に的確にフィットするように、通常、テンプルやモダンの曲がり具合を変えるなどして、個々の着用者の頭部の形状に合うように調整されて使用される。
しかし、太って顔幅が広くなるなどして着用者の顔幅が変化した場合、眼鏡を調整し直さないと頭部にフィットしなくなってしまう。
【０００４】
図１４は、眼鏡の装着状態を上から見た場合の模式図であり、（Ａ）は頭部にフィットした場合、（Ｂ）は顔幅が広がった場合を示す。
図に示すように、たとえ当初、眼鏡Ｂのテンプル１００等を着用者の頭部Ｈに的確にフィットするように調整しても〔図１４（Ａ）参照〕、その顔幅が広がると〔図１４（Ｂ）参照〕、テンプル１００が押し広げられる状態になる。
そのため、特にモダン１０１を含むテンプル１００の後端部が頭部Ｈから離れてしまい、フィット感が失われてしまう。
【０００５】
頭部にフィットしなくなった眼鏡は、再び調整が必要になる。
フィッティング技術には熟練を要する。
勝手に着用者が調整を行うと、テンプルがこめかみを圧迫して血流を悪くさせたりモダンが耳の付け根に擦れて痛みを与えたりして、不快感を与える。
【０００６】
眼鏡に特殊な部材を取り付けて、顔幅に合わせて眼鏡の幅を調整し、テンプルの曲がり具合を変えることが可能な眼鏡が提案されている（特許文献１参照）。
この眼鏡の智（ヨロイ）は、ニッケル・チタン合金等の超弾性材料よりなり、もともと直線状に形成される。
【０００７】
この直線状の智を、チタン等のより剛性の高い材料よりなる略９０度に折れ曲がったパイプ状の全幅調整部材に挿入することで後方に曲げて、通常の智の形状に形成するのである。
こうした眼鏡は、パイプ状の全幅調整部材の位置をずらして左右の智が後方へ折り曲がる位置を移動させたり、パイプ状の全幅調整部材の折り曲げ角度を変えることにより、使用者の顔幅に合うように調整できるとされる。
【０００８】
また、上記の眼鏡では、同様に、直線状に形成された超弾性のテンプルを、へ字状に折曲されたパイプ状の部材に挿入することで、テンプルを内側に曲げることも提案されている。
そして、テンプルを内側に曲げる位置や角度を変えることにより、眼鏡のフィット性を確保し、顔幅の変化の際の調整も容易、確実に行うことができるとされる。
【０００９】
しかし、特に、略９０度に折れ曲がったパイプ状の部材に金属部材を挿入した状態でその位置を微妙に調整する作業は、いわゆる素人である着用者にとっては、非常に困難を伴うものとなる。
しかも、眼鏡を着用すると、通常、智の部分には相当に強い力が加わる。
【００１０】
そのため、略９０度に折れ曲がったパイプ状部材は、肉薄であれば壊れ易くなり、肉厚であれば角度の調整がしにくくなるという問題点がある。
【００１１】
以上のようなことから、顔幅が変化しても、煩わしい調整の必要がなく、しかも最初に調整して得られたフィット感が失われず、的確なフィット感が維持される眼鏡の開発が強く望まれている。
【特許文献１】特開２００１−１６６２６３号公報
【発明の開示】
【発明が解決しようとする課題】
【００１２】
本発明は、かかる実状を背景に、上記の問題点を克服するためになされたものである。
すなわち、本発明の目的は、顔幅が変化しても何ら調整をし直す必要がなく、的確なフィット感が維持される眼鏡を提供することである。
【課題を解決するための手段】
【００１３】
かくして、本発明者は、このような課題背景に対して、鋭意研究を重ねた結果、テンプルの内側に規制アーム杆を設けることによりテンプルの拡開に伴ってその後端部が内方に傾斜するようにすることができること、及びその内方傾斜により使用者の顔幅が広がってもテンプル後端部がその頭部を的確に捉えた状態を保持することが可能であることを見出し、この知見に基づいて本発明を完成させたものである。
【００１４】
即ち、本発明は、（１）、智に回動自在に取り付けられたテンプルを備えた眼鏡であって、該テンプルを、その開き角度が一定角度より大きくなるように拡開すると、それに伴って該テンプルの後端部が内方に傾斜する眼鏡に存する。
【００１５】
そして、（２）、智に回動自在に取り付けられたテンプルを備えた眼鏡であって、該テンプルは、少なくとも規制アーム杆と、その外側に取り付けられた前テンプル杆と、後テンプル杆とよりなり、該規制アーム杆はその後端部が前テンプル杆と後テンプル杆との境部に取り付けられており、該テンプルを、その開き角度が一定角度より大きくなるように拡開すると、それに伴って該規制アーム杆が該境部を該規制アーム杆に沿う方向に引くことにより該後テンプル杆が内方に傾斜する眼鏡に存する。
【００１６】
そしてまた、（３）、智に回動自在に取り付けられたテンプルを備えた眼鏡であって、該テンプルは、智に回動自在に取り付けられた規制アーム杆と、前端部が智に押し付けられることで摺動可能となるように規制アーム杆の外側に取り付けられた前テンプル杆と、該前テンプル杆に前端部にて揺動可能に取り付けられた後テンプル杆とよりなり、該規制アーム杆はその後端部が後テンプル杆の前端部に係止されており、該テンプルを、その開き角度が一定角度より大きくなるように拡開すると、それに伴って該規制アーム杆が該後テンプル杆の前端部を該規制アーム杆に沿う方向に引くことにより該後テンプル杆が内方に傾斜する眼鏡に存する。
【００１７】
そしてまた、（４）、前記後テンプル杆は、その前端部がフック状部分として形成されている眼鏡に存する。
【００１８】
そしてまた、（５）、前記後テンプル杆は、その前端部に穴が形成され、規制アーム杆はその後端部に穴が形成され、この２つの穴がネジ止めされて係止されている眼鏡に存する。
【００１９】
そしてまた、（６）、前記テンプルは、智とともにバネ丁番を形成する眼鏡に存する。
【００２０】
そしてまた、（７）、前記前テンプル杆は、規制アーム杆を覆っている眼鏡に存する。
【００２１】
そしてまた、（８）、前記前テンプル杆は、長穴が形成されており、ビスを該前テンプル杆の外側から該長穴を通して規制アーム杆に固定することにより、前テンプル杆と規制アーム杆とが摺動可能に取り付けられている眼鏡に存する。
【００２２】
そしてまた、（９）、前記規制アーム杆は、その後端部に外向きに形成された係受凹部に前記後テンプル杆の前端部に内向きに形成された係止凸部が係止することにより、その後端部が該後テンプル杆の前端部に係止されている眼鏡に存する。
【００２３】
そしてまた、（１０）、前記規制アーム杆と後テンプル杆の係止位置の内側にバネ体が取り付けられている眼鏡に存する。
【００２４】
本発明はこの目的に沿ったものであれば、上記１〜１０の中から選ばれた２つ以上を組み合わせた構成も当然採用可能である。
【発明の効果】
【００２５】
本発明によれば、テンプルの拡開に伴って、自動的にテンプル後端部が内方に傾斜させることが可能となる。
そのため、眼鏡の使用者の顔幅が変化しても、何ら眼鏡を調整し直す必要がなく、使用開始当初に調整して得られた的確なフィット感が維持されるのである。
【発明を実施するための最良の形態】
【００２６】
以下、図面に基づいて、本発明の眼鏡の好適な実施の形態について述べる。
図１は、本実施形態の眼鏡の平面図である（説明の便宜上、図中右側のテンプルはモダン９を取り外した状態を示した）。
眼鏡Ａは、リム１、ブリッジ２、智３、テンプル４、及びレンズ５等を備える。
テンプル４は、ネジ６により智３に回動自在に取り付けられている。
【００２７】
本発明においては、テンプル４は、少なくとも前テンプル杆７ａと、後テンプル杆７ｂと、規制アーム杆８とよりなり、前テンプル杆７ａは規制アーム杆８の外側に取り付けられている。
規制アーム杆８の後端部は、前テンプル杆７ａと後テンプル杆７ｂとの境部に取り付けられている。
【００２８】
図２は、本実施形態のテンプルの構造を示す図であり、（Ａ）は前テンプル杆及び後テンプル杆、及び規制アーム杆を分解した状態、（Ｂ）は取り付けた状態を示す。
本実施形態では、図２（Ａ）に示すように、前テンプル杆７ａと後テンプル杆７ｂとは、後テンプル杆７ｂがその前端部にて前テンプル杆７ａに対して揺動可能〔図２（Ａ）上部の矢印参照〕になるようにネジ７ｃで取り付けられている。
【００２９】
具体的には、後テンプル杆７ｂは、その前端部にフック状に湾曲したフック状部分７ｄが設けられ、その先端にはネジ７ｃが貫通するための穴（図示しない）が形成されている。
また、前テンプル杆７ａの後端部内側には凹部（図示しない）が形成されている。
【００３０】
そして、後テンプル杆７ｂの先端をこの凹部に挿入し、ネジ７ｃによりねじ止めすることにより、前テンプル杆７ａと後テンプル杆７ｂとが取り付けられる。
この際、前テンプル杆７ａに対して、ネジ７ｃを中心として後テンプル杆７ｂがある程度の角度幅をもって揺動可能に取り付けられる。
【００３１】
規制アーム杆８は、図２（Ａ）の拡大円内に示すように、その後端部に穴８ａが形成されており、この穴８ａに後テンプル杆７ｂを挿通することにより、後テンプル杆７ｂの前端部であるフック状部分７ｄに係止される。
このようにして、規制アーム杆８は、その後端部が前テンプル杆７ａと後テンプル杆７ｂとの境部（この場合はフック状部分７ｄ）に係止され取り付けられるのである〔図２（Ｂ）参照〕。
【００３２】
規制アーム杆８と前テンプル杆７ａとは、それらの前端部においても連結されている。
即ち、両者の前端部同士が、互いに対して長手方向に摺動可能に取り付けられている〔図２（Ｂ）下部の矢印参照〕。
【００３３】
更に、この前端部の摺動部には、圧縮弾性を有するコイルバネが内蔵されており、このテンプル４が智３に取り付けられると、いわゆるバネ丁番を形成する。
図３は、上記バネ丁番の一例を説明する図であり、（Ａ）は連結させる前の前テンプル杆と規制アーム杆を示す斜視図であり、（Ｂ）は連結した後のバネ丁番の内部構造を示す断面図である。
【００３４】
図３（Ａ）に示すように、前テンプル杆７ａには開口部を狭幅に形成された嵌合凹部７ｅが、また規制アーム杆８には、開口部の周囲に鍔状部分が形成され中央に凹部１０を有する嵌合凸部８ｃが形成されている。
規制アーム杆８と前テンプル杆７ａは、規制アーム杆８の嵌合凸部８ｃを前テンプル杆７ａの嵌合凹部７ｅの前端から挿入することにより、摺動可能に取り付けられる。
【００３５】
この取り付けの際、同時に、規制アーム杆８の嵌合凸部８ｃに形成された凹部１０に、回動規制棒１１が内挿されたコイルバネ１２とロッキングデバイス１３とが埋め込まれる〔図３（Ｂ）参照〕。
この取り付けによって、ロッキングデバイス１３は、その一部が前テンプル杆７ａの嵌合凹部７ｅに形成された係合溝７ｆに係合して固定され、回動規制棒１１のヘッド部１１ａを介してコイルバネ１２を押圧した状態で保持する。
【００３６】
こうした構造に形成すると、コイルバネ１２の反発力により、前テンプル杆７ａは、通常の状態では、規制アーム杆８に対して前端部方向に摺動しきった状態に保持される。
また、規制アーム杆８が智３に取り付けられ、後述する図６（Ｂ）に示すようにテンプル４に外力が加わっていわゆるオーバー回動した状態では、コイルバネ１２が更に押し縮められ、外力が加わらなくなると図６（Ａ）の状態に自然に戻る、いわゆるバネ丁番を形成するのである。
以上のように、前テンプル杆７ａ、後テンプル杆７ｂ及び規制アーム杆８等が組み立てられてテンプル４（図１参照）が形成される。
【００３７】
一方、規制アーム杆８の前端部には、コマ部８ｂが設けられている〔図２（Ａ）及び図２（Ｂ）参照〕。
本実施形態においては、規制アーム杆８がこのコマ部８ｂを介して智３に回動自在に取り付けられることにより、結果的に、テンプル４全体が智３に回動自在に取り付けられ、上記のようにバネ丁番を形成するのである。
【００３８】
さて、本発明の眼鏡は、テンプル４を、その開き角度が一定角度より大きくなるように拡開すると（即ちいわゆるオーバー回動すると）、それに伴ってテンプル４の後端部が内方に傾斜することを特徴とする。
ここで、テンプル４の開き角度（θ）について簡単に述べる。
【００３９】
図４は、テンプルの開き角度を説明する図である。
この図に示すように、テンプル４の開き角度θとは、完全に折り畳まれた状態Ｐにあるテンプル４と拡開した状態Ｑにあるテンプル４のなす角度をいう。
つまり、例えばθが０度という場合は、テンプル４が完全に折り畳まれた状態、即ち、Ｐの状態にある場合をさす。
【００４０】
次に、テンプル４の後端部が内方に傾斜する原理について説明する。
本実施形態においては、テンプル４が開き角度θが０度の状態から拡開していき、θが略９０度の状態（図１参照）に拡開したとき初めて前テンプル杆７ａの前端部が智３に当接する。
この状態では、まだテンプル４の後端部の内方傾斜は生じていない。
【００４１】
眼鏡の着用者がこの眼鏡Ａを掛けた場合のように、テンプル４の開き角度θを一定角度（この場合は略９０度）より大きく拡開するような力が加わると、テンプル後端部の内方傾斜が生じる。
図５は、このテンプル後端部の内方傾斜の原理を説明する図である。
【００４２】
テンプル４に外向きの力Ｓが加わると、智３に当接していた前テンプル杆７ａは、その先端が智３に強く押し付けられ、智３から後向きの力Ｔを受ける。
この力Ｔにより、前テンプル杆７ａは、規制アーム杆８に対して後ろ向き（矢印Ｕ方向）に摺動する〔図５を拡大した図６（Ｂ）参照。尚、図６（Ａ）は図１の状態の拡大図である〕。
【００４３】
これを前テンプル杆７ａの側から見れば、前テンプル杆７ａに対して規制アーム杆８が前方に移動することになる（図５参照）。
そのため、規制アーム杆８により後テンプル杆７ｂのフック状部分７ｄが前方（矢印Ｖ方向）に引かれ、それにより、ネジ７ｃを中心として後テンプル杆７ｂが矢印Ｗ方向に回動する。
【００４４】
このように、本発明の眼鏡Ａは、テンプル４を、その開き角度が一定角度（この場合は略９０度）より大きくなるように拡開すると、それに伴って規制アーム杆８が後テンプル杆７ｂの前端部であるフック状部分７ｄを該規制アーム杆８に沿う方向（矢印Ｖ方向）に引くことによりテンプル４の後端部、即ち後テンプル杆７ｂが内方に傾斜するのである。
【００４５】
そのため、従来の眼鏡（図１４参照）とは異なり、例えば使用者の顔幅が広くなった場合でも、新たにフィッティングを施すことなく、その頭部に的確にフィットすることができるのである。
図７は、本発明の眼鏡の装着状態を上から見た場合の模式図であり、（Ａ）は頭部にフィットした場合、（Ｂ）は顔幅が広がった場合を示す。
【００４６】
このように、本発明の眼鏡Ａは、例えば、使用者の顔幅が広がっても、自動的にテンプル４の後端部、即ち後テンプル杆７ｂが内方に傾斜する。
そのため、本発明の眼鏡は、使用者の顔幅が変化しても、何ら調整をし直す必要がなく、最初に調整して得られたフィット感が失われず、そのまま的確に維持される。
【００４７】
因みに、先述したように、本実施形態の眼鏡のテンプル４は、いわゆるバネ丁番を形成している。
従って、テンプルの開き角度が一定角度（この場合は略９０度）より大きくなるように拡開すると、内方へ戻ろうとする付勢力を発揮する。
このため、図７（Ａ）及び図７（Ｂ）に示した装着状態において、このバネ丁番による内方への付勢力により、眼鏡が使用者の頭部Ｈをより的確に捉えることが可能となる。
【００４８】
さて、上記構成例では、後テンプル杆７ｂの前端部にフック状部分を形成し、それを規制アーム杆８の後端部に設けた穴８ａに挿通することにより規制アーム杆８を後テンプル杆７ｂの前端部に係止した〔図２（Ａ）及び図２（Ｂ）参照〕。
しかし、他の方法により係止することも可能である。
【００４９】
図８（Ａ）は、その一例を示す図である。
この構成例は、上記構成例（図１等参照）と比較して、前テンプル杆７ａ、後テンプル杆７ｂ、及び規制アーム杆８の取り付け部位（ネジ７ｃ付近）の構造のみを異にする。
【００５０】
また図８（Ａ）の拡大円内に示すように、前テンプル杆７ａには穴７ｇが、また後テンプル杆７ｂのＬ字状の前端部には間隔を置いて２つの穴、即ち穴７ｈ及び穴７ｉがそれぞれ設けられ、穴７ｈと穴７ｇとがネジ７ｃにより揺動可能になるように取り付けられる。
また、規制アーム杆８の後端部には穴８ｄが設けられ、この穴８ｄと前記後テンプル杆７ｂの穴７ｉとが回動自在にネジ止めされて係止されている。
【００５１】
先述した構成例では規制アーム杆８が後テンプル杆７ｂのフック状部分７ｄを規制アーム杆に沿う方向に引いた（図５参照）。
それに対し、図８（Ａ）のように連結して形成されたテンプル４においては、規制アーム杆８が穴８ｄ及び穴７ｉを連結するネジを介して後テンプル杆７ｂの前端部、即ち穴７ｉの部分を規制アーム杆８に沿う方向に引くのである。
【００５２】
この規制アーム杆８に沿う方向に引く力により、この場合、間隔を置いた２つの穴（穴７ｈ、穴７ｉ）の間に力のモーメントが働く。
そのため、先述した構成例の場合と同様に、テンプル４に外向きの力が加わると後テンプル杆７ｂが内方に傾斜することは容易に理解されよう。
【００５３】
尚、デザイン性や毛髪の絡み付き防止等の観点から、図８（Ａ）に示した眼鏡の前テンプル杆７ａを、規制アーム杆８の全部又は一部を覆うように形成することも可能である〔図８（Ｂ）参照〕。
また、このように前テンプル杆７ａで規制アーム杆８を覆うように形成することは、図８（Ａ）の眼鏡の場合に限らず、図１や後述する図１０（Ａ）等に示す構成例においても当然採用可能である。
【００５４】
因みに、図示しないが、モダン９をゴムモダン等にして前テンプル杆７ａ、後テンプル杆７ｂ及び規制アーム杆８の取り付け部位（ネジ７ｃの部分）を覆うようにすれば、テンプル４への毛髪の絡み付きをより的確に防止することができる。
また、規制アーム杆８を覆うように形成した前テンプル杆７ａ〔図８（Ｂ）参照〕のネジ７ｃの部分を、ゴム等のモダン９で、更に上から覆うように形成することも当然可能である。
【００５５】
〔テンプル後端部の内方傾斜の開始角度が異なる眼鏡のバリエーション〕
上記の実施形態においては、テンプル４の開き角度θが略９０度を超えたときに、テンプル後端部の内方傾斜が生じる場合を説明した。
しかし、テンプル４の後端部の内方傾斜が始まる開き角度θは、略９０度の時点である場合に限定されず、必要に応じて、開き角度θがより小さい角度或いは９０度より大きい角度に開いた時点で内方傾斜を開始させることも可能である。
【００５６】
図９は、開き角度θが略４５度のときに内方傾斜が始まるようにした眼鏡の構成例の丁番付近の拡大図であり、（Ａ）はθが略４５度、（Ｂ）はθが略９０度の場合を示す。
先述したように、テンプル４の後端部の内方傾斜は、前テンプル杆７ａが規制アーム杆８に対して摺動することにより生じる。
【００５７】
この構成例では、開き角度θが略４５度のとき、前テンプル杆７ａが規制アーム杆８に対して摺動を開始する〔図９（Ａ）参照〕。
そして、開き角度θが略９０度になるまでテンプル４を拡開した状態では、前テンプル杆７ａは規制アーム杆８に対して相当程度摺動した状態になり〔図９（Ｂ）参照〕、ここでは図示しないが、図５に示したのと同様に、テンプル後端部も相当程度内方傾斜している。
【００５８】
このように、本発明によれば、例えば、智３や前テンプル杆７ａ等の構造を変えることで、テンプル後端部の内方傾斜が始まる開き角度を自在に変えることができるのである。
また、改めて説明しないが、同様に智３や前テンプル杆７ａ等の構造を変えることで、開き角度θが９０度より大きい角度に開いた時点でテンプル４の後端部の内方傾斜を開始させることも可能である。
【００５９】
〔テンプルの拡開に伴って後端部が内方傾斜する眼鏡のバリエーション〕
以下に示す眼鏡のバリエーションにおいては、煩雑さを避けるため繰り返して述べないが、テンプル４はその前端部において智３に回動自在に取り付けられていること、及び上記のようにテンプル４の後端部の内方傾斜が始まる際のテンプルの開き角度θを自在に変えることができることは言うまでもない。
【００６０】
〔第１変形例〕
次に、本発明の眼鏡のバリエーションについて述べる。
図１０は、本発明の眼鏡の第１変形例を示す図であり、（Ａ）は平面図、（Ｂ）は右側面の丁番付近の拡大図である。
【００６１】
先述した眼鏡と同様、この変形例Ａ１においても、テンプル４は、前テンプル杆７ａと、後テンプル杆７ｂと、規制アーム杆８とよりなり、前テンプル杆７ａは規制アーム杆８の外側に取り付けられている。
この変形例Ａ１では、前テンプル杆７ａ及び後テンプル杆７ｂは熔接部７ｊの位置でスポット熔接されている。
【００６２】
後テンプル杆７ｂは、弾性を有する部材から形成され、その前端部にはフック状に湾曲したフック状部分７ｄが形成されている。
つまり、後テンプル杆７ｂは、その前端部にて前テンプル杆７ａに取り付けられ、その弾性により、図２（Ｂ）の眼鏡Ａと同様に、前テンプル杆７ａに対して揺動可能となる。
【００６３】
規制アーム杆８は、その後端部に、図２（Ａ）及びその拡大円内に示した穴８ａと同様の穴（図示しない）が形成されており、この穴に後テンプル杆７ｂを挿通することにより、後テンプル杆７ｂの前端部であるフック状部分７ｄに係止される〔図１０（Ａ）参照〕。
これにより、規制アーム杆８は、その後端部が前テンプル杆と後テンプル杆との境部（この場合はフック状部分７ｄ）に係止され取り付けられるのである。
【００６４】
この変形例Ａ１においては、規制アーム杆８の前端部と前テンプル杆７ａの前端部とは、ビス７ｋを介して摺動可能に取り付けられる〔図１０（Ｂ）参照〕。
つまり、前テンプル杆７ａの前端部には長穴７ｌが形成されており、ビス７ｋを前テンプル杆７ａの外側から長穴７ｌを通して規制アーム杆８に固定することにより、前テンプル杆７ａと規制アーム杆８とは長穴７ｌの分だけ摺動可能に取り付けられる。
【００６５】
一方、規制アーム杆８の前端部には、コマ部が設けられており、規制アーム杆８がこのコマ部を介してネジ６により智３に回動自在に取り付けられるのは、上記眼鏡Ａ（図１参照）の場合と同様である。
【００６６】
さて、このようにテンプル４を形成すると、図１の眼鏡Ａと同様に、テンプルの拡開に伴ってその後端部が内方傾斜する。
図１１に示すように、テンプル４に外向きの力Ｓが加わると、智３に当接していた前テンプル杆７ａは、その先端が智３に強く押し付けられて智３から後向きの力Ｔを受け、前テンプル杆７ａが規制アーム杆８に対して矢印Ｕ方向に摺動する。
【００６７】
そのため、図５の眼鏡Ａの場合と同様に、規制アーム杆８が後テンプル杆７ｂのフック状部分７ｄを前方（矢印Ｖ方向）に引く状態となり、それにより、熔接部７ｊを中心として後テンプル杆７ｂが矢印Ｗ方向に回動するのである。
このように、変形例Ａ１においても、テンプル４を、その開き角度が一定角度（この場合は略９０度）より大きくなるように拡開すると、それに伴って規制アーム杆８が後テンプル杆７ｂの前端部であるフック状部分７ｄを該規制アーム杆８に沿う方向（矢印Ｖ方向）に引くことによりテンプル４の後端部、即ち後テンプル杆７ｂが内方に傾斜するのである。
【００６８】
またこの際、先述したように、後テンプル杆７ｂが弾性を有するため、力Ｓが加わらなくなれば、後テンプル杆７ｂの弾性力により、テンプル４は図１０に示した位置に戻る。
つまり、この場合も、テンプル４は、開き角度θが一定角度（図１０の場合は略９０度）より大きくなると内方への付勢力を有するようになるのである。
即ち、この場合も、テンプル４は、智３とともにバネ丁番を形成している。
【００６９】
〔第２変形例〕
図１２は、本発明の眼鏡の第２変形例のテンプル付近を示す図であり、（Ａ）は平面図、（Ｂ）は一部断面図である。
この変形例でも、先述した眼鏡と同様、テンプル４は、前テンプル杆７ａと、後テンプル杆７ｂと、規制アーム杆８とよりなり、前テンプル杆７ａは規制アーム杆８の外側に取り付けられている。
【００７０】
また、後テンプル杆７ｂは、その前端部にてネジ７ｃを介して前テンプル杆７ａに揺動可能に取り付けられている。
尚、図１２及び後述する図１３では、前テンプル杆７ａが規制アーム杆８を覆っている場合を示したが、前テンプル杆７ａが規制アーム杆８の外側に取り付けられた状態に形成することは当然可能である。
【００７１】
この第２変形例では、規制アーム杆８の後端部に外向きに係受凹部８ｅが形成され、また、後テンプル杆７ｂの前端部には内向きに係止凸部７ｍが形成されており、規制アーム杆８の係受凹部８ｅと後テンプル杆７ｂの係止凸部７ｍとが係止している点に特徴がある。
また、規制アーム杆８と前テンプル杆７ａの前端部にはコイルバネ１２が内蔵されており、このテンプル４もいわゆるバネ丁番を形成している。
【００７２】
さて、この変形例においても、テンプル４をオーバー回動するとそれに伴ってテンプル４の後端部が内方に傾斜するのは、上記の例と同様に説明することができる。
図１３は、図１２の第２変形例におけるテンプル後端部の内方傾斜を説明する一部断面図である。
【００７３】
つまり、テンプル４がオーバー回動した状態、即ちテンプル４に外向きの力Ｓが加わった状態では、智３に当接していた前テンプル杆７ａが智３に強く押し付けられて智３から後向きの力Ｔを受け、規制アーム杆８に対して後ろ向き（矢印Ｕ方向）に摺動する。
そして、相対的に規制アーム８が前テンプル杆７ａに対して前方に移動することになるため、後テンプル杆７ｂの係止凸部７ｍと嵌合していた規制アーム杆８の係受凹部８ｅが前方にずれる（矢印Ｖ参照）。
【００７４】
図１３等に示すように、後テンプル杆７ｂの係止凸部７ｍの後側面は傾斜状に形成されているため、規制アーム杆８の係受凹部８ｅが前方にずれると、後テンプル杆７ｂの係止凸部７ｍが外側にずれる。
そのため、ネジ７ｃを中心として後テンプル杆７ｂの後端部が矢印Ｗ方向に回動するのである。
【００７５】
尚、このテンプル４では、図１３のようにテンプル４がオーバー回動して、規制アーム杆８の係受凹部８ｅが後テンプル杆７ｂの係止凸部７ｍより前方にずれた状態で、外向きの力Ｓが解除されると、前テンプル杆７ａや規制アーム杆８は図１２の状態にまで戻るのに、後テンプル７ｂの後端部は図１２の状態にまで戻り切らなかったり、内方に傾斜した状態のままであったりする場合がある。
そうした場合には、図１２等に示すように、規制アーム杆と後テンプル杆の係止位置の内側に、例えば板バネ状のバネ体１４を取り付ければ、バネ体１４の弾性力で図１２の状態に復元することができ、好ましい。
【００７６】
以上、本発明を説明してきたが、本発明は実施形態や変形例にのみ限定されるものではなく、その本質を逸脱しない範囲で、他の種々の更なる変形例が可能であることは言うまでもない。
例えば、図３のバネ丁番は智３に対してテンプル４が弾圧的に摺動可能になっているものである限り、その変形は自由である。
【産業上の利用可能性】
【００７７】
テンプルの拡開に伴ってその後端部が内方に傾斜する眼鏡に関するものであるがその原理を逸脱しない限り、矯正用眼鏡や医療用眼鏡、サングラス等の眼鏡全般の回動構造に適用可能であり、同様な効果も期待できるものである。
【図面の簡単な説明】
【００７８】
【図１】図１は、本実施形態の眼鏡の平面図である。
【図２】図２は、本実施形態のテンプルの構造を示す図であり、（Ａ）は前テンプル杆及び後テンプル杆、及び規制アーム杆を分解した状態、（Ｂ）は取り付けた状態を示す。
【図３】図３は、上記バネ丁番の一例を説明する図であり、（Ａ）は連結させる前の前テンプル杆と規制アーム杆を示す斜視図であり、（Ｂ）は連結した後のバネ丁番の内部構造を示す断面図である。
【図４】図４は、テンプルの開き角度を説明する図である。
【図５】図５は、このテンプル後端部の内方傾斜の原理を説明する図である。
【図６】図６は、規制アーム杆に対する前テンプル杆の摺動を示す図であり、（Ａ）は摺動前、（Ｂ）は摺動した状態を示す。
【図７】図７は、本発明の眼鏡の装着状態を上から見た場合の模式図であり、（Ａ）は頭部にフィットした場合、（Ｂ）は顔幅が広がった場合を示す。
【図８】図８（Ａ）は、規制アーム杆の係止の構成例を示す図であり、図８（Ｂ）は、前テンプル杆が規制アーム杆を覆う構成例を示す図である。
【図９】図９は、開き角度θが略４５度のときに内方傾斜が始まるようにした眼鏡の構成例の丁番付近の拡大図であり、（Ａ）はθが略４５度、（Ｂ）はθが略９０度の場合を示す。
【図１０】図１０は、本発明の眼鏡の第１変形例を示す図であり、（Ａ）は平面図、（Ｂ）は右側面の丁番付近の拡大図である。
【図１１】図１１は、図１０の変形例におけるテンプル後端部の内方傾斜を説明する図である。
【図１２】図１２は、本発明の眼鏡の第２変形例のテンプル付近を示す図であり、（Ａ）は平面図、（Ｂ）は一部断面図である。
【図１３】図１３は、図１２の第２変形例におけるテンプル後端部の内方傾斜を説明する一部断面図である。
【図１４】図１４は、従来の眼鏡の装着状態を上から見た場合の模式図であり、（Ａ）は頭部にフィットした場合、（Ｂ）は顔幅が広がった場合を示す。
【符号の説明】
【００７９】
Ａ…本発明の眼鏡
Ａ１…本発明の眼鏡の変形例
Ｂ…従来の眼鏡
Ｈ…頭部
Ｐ…完全に折り畳まれた状態のテンプル
Ｑ…拡開した状態のテンプル
Ｓ、Ｔ…力
Ｕ、Ｖ、Ｗ…変位方向
１…リム
２…ブリッジ
３…智
４…テンプル
５…レンズ
６…ネジ
７…テンプル杆
７ａ…前テンプル杆
７ｂ…後テンプル杆
７ｃ…ネジ
７ｄ…フック状部分
７ｅ…嵌合凹部
７ｆ…係合溝
７ｇ…穴
７ｈ…穴
７ｉ…穴
７ｊ…熔接部
７ｋ…ビス
７ｌ…長穴
７ｍ…係止凸部
８…規制アーム杆
８ａ…穴
８ｂ…コマ部
８ｃ…嵌合凸部
８ｄ…穴
８ｅ…係受凹部
９…モダン
１０…凹部
１１…回動規制棒
１１ａ…ヘッド部
１２…コイルバネ
１３…ロッキングデバイス
１４…バネ体
１００…テンプル
１０１…モダン
【国際調査報告】
2004003634.tif 000017
2004003634.tif 000018